(57)【特許請求の範囲】
【請求項１】
複数の付属機器検出端子と、各付属機器検出端子における入出力の設定を変更可能な制御手段とを備えた本体機器と、前記本体機器の付属機器検出端子と接続される端子を備え、前記本体機器と交換可能に接続される付属機器とを有する電子機器において、
前記制御手段は、前記複数の付属機器検出端子の入出力の設定を少なくとも一部変更し、この変更前後の各設定状態における、出力端子としての前記付属機器検出端子と、前記付属機器との接続によって信号入力された入力端子としての前記付属機器検出端子との組み合わせ情報に基づいて、前記本体機器に接続された前記付属機器を特定することを特徴とする電子機器。
【請求項２】
前記付属機器検出端子は、３端子以上からなることを特徴とする請求項１に記載の電子機器。
【請求項３】
前記制御手段は、３つの前記付属機器検出端子のうち２つを入力端子に設定するとともに１つを出力端子に設定して得られた前記組み合わせ情報と、前記２つの入力端子のうち一方の入力端子を出力端子に変更して得られた前記組み合わせ情報とに基づいて、前記本体機器に接続された付属機器を特定することを特徴とする請求項１又は２に記載の電子機器。
【請求項４】
前記制御手段は、前記本体機器の付属機器検出端子の入出力の設定を複数回変更して複数の前記組み合わせ情報を得た後、これらの組み合わせ情報に基づいて、前記本体機器に接続された前記付属機器を特定することを特徴とする請求項１乃至３のいずれか１つに記載の電子機器。
【請求項５】
カメラ本体に着脱可能な交換レンズで、そのカメラ本体とレンズ本体との間に付属機器が交換可能に接続される交換レンズにおいて、
前記付属機器の端子と接続される複数の付属機器検出端子と、
各付属機器検出端子における入出力の設定を変更可能な制御手段とを有し、
前記制御手段は、前記複数の付属機器検出端子の入出力の設定を少なくとも一部変更し、この変更前後の各設定状態における、出力端子としての前記付属機器検出端子と、前記付属機器との接続によって信号入力された入力端子としての前記付属機器検出端子との組み合わせ情報に基づいて、前記レンズ本体に接続された前記付属機器を特定することを特徴とする交換レンズ。
【請求項６】
前記付属機器検出端子は、３端子以上からなることを特徴とする請求項５に記載の交換レンズ。
【請求項７】
前記制御手段は、３つの前記付属機器検出端子のうち２つを入力端子に設定するとともに１つを出力端子に設定して得られた前記組み合わせ情報と、前記２つの入力端子のうち一方の入力端子を出力端子に変更して得られた前記組み合わせ情報とに基づいて、前記レンズ本体に接続された前記付属機器を特定することを特徴とする請求項５又は６に記載の交換レンズ。
【請求項８】
前記制御手段は、前記付属機器検出端子の入出力の設定を複数回変更して複数の前記組み合わせ情報を得た後、これらの組み合わせ情報に基づいて、前記レンズ本体に接続された付属機器を特定することを特徴とする請求項５又は６に記載の交換レンズ。
【請求項９】
前記付属機器は、エクステンダーまたは中間チューブであることを特徴とする請求項５乃至８のいずれか１つに記載の交換レンズ。
【発明の詳細な説明】
【０００１】
【発明の属する技術分野】
本発明は、マイクロコンピュータ等の制御手段を有する本体機器と、制御手段の無い付属機器との接続に係る付属機器の検出方法およびレンズに関する。
【０００２】
【従来の技術】
従来、マイクロコンピュータ等の制御手段を有する本体機器と、制御手段の無い付属機器に於いて、特にその付属機器の検出方法に於いては入出力を固定した接点により検出していた。また特願平６−８８４９０号公報に開示されているように、撮影用レンズとカメラボディーとの間に、撮影倍率を上げるためのテレコンバータや、または接写撮影のための中間リングなどのエクステンダーを挿入した場合に、装着されたテレコンバータやエクステンダーの種類を判別して撮影レンズの動作を変更していた。
【０００３】
【発明が解決しようとする課題】
しかしながら、マイクロコンピュータ等の制御手段を有する本体機器と制御手段の無い付属機器に於いて、特にその付属機器の検出方法に於いては入出力を固定した接点により検出していた為、検出可能な付属機器の種類が限られていた。
本出願に係る第１の発明の目的は、検出可能な付属機器の種類を増すことである。
【０００４】
本出願に係る第２の発明の目的は、従来の付属機器を速く検出可能とすることである。
【０００５】
本出願に係る第３の発明の目的は、付属機器の判別を確実にすることである。
本出願に係る第４の発明の目的は、検出可能な付属機器の種類を増すことのできるレンズを提供することにある。
【０００６】
本出願に係る第５の発明の目的は、従来の付属機器を速く検出可能とするレンズを提供することである。
【０００７】
本出願に係る第６の発明の目的は、付属機器の判別を確実にするレンズを提供することである。
【０００８】
【課題を解決するための手段】
本発明に係る発明の目的を実現する構成は、複数の付属機器検出端子と、各付属機器検出端子における入出力の設定を変更可能な制御手段とを備えた本体機器と、前記本体機器の付属機器検出端子と接続される端子を備え、前記本体機器と交換可能に接続される付属機器とを有する電子機器において、前記制御手段は、前記複数の付属機器検出端子の入出力の設定を少なくとも一部変更し、この変更前後の各設定状態における、出力端子としての前記付属機器検出端子と、前記付属機器との接続によって信号入力された入力端子としての前記付属機器検出端子との組み合わせ情報に基づいて、前記本体機器に接続された前記付属機器を特定することを特徴とする電子機器にある。
【０００９】
前記付属機器検出端子は、３端子以上からなることを特徴とする。
【００１２】
前記制御手段は、３つの前記付属機器検出端子のうち２つを入力端子に設定するとともに１つを出力端子に設定して得られた前記組み合わせ情報と、前記２つの入力端子のうち一方の入力端子を出力端子に変更して得られた前記組み合わせ情報とに基づいて、前記本体機器に接続された付属機器を特定することを特徴とする。
【００１４】
前記制御手段は、前記本体機器の付属機器検出端子の入出力の設定を複数回変更して複数の前記組み合わせ情報を得た後、これらの組み合わせ情報に基づいて、前記本体機器に接続された前記付属機器を特定することを特徴とする。
【００１５】
上記構成によれば、本体機器へ複数の付属機器を互換的に装着する時に、検出端子の入力と出力を任意に変更することにより検出可能な付属機器の種類を増すことができ、また、検出を複数回行うことにより正確な検出が可能となった。
【００１６】
一方、本発明に係る発明の目的を実現する他の構成は、カメラ本体に着脱可能な交換レンズで、そのカメラ本体とレンズ本体との間に付属機器が交換可能に接続される交換レンズにおいて、前記付属機器の端子と接続される複数の付属機器検出端子と、各付属機器検出端子における入出力の設定を変更可能な制御手段とを有し、前記制御手段は、前記複数の付属機器検出端子の入出力の設定を少なくとも一部変更し、この変更前後の各設定状態における、出力端子としての前記付属機器検出端子と、前記付属機器との接続によって信号入力された入力端子としての前記付属機器検出端子との組み合わせ情報に基づいて、前記レンズ本体に接続された前記付属機器を特定することを特徴とする交換レンズにある。
【００１７】
前記付属機器検出端子は、３端子以上からなることを特徴とする。
【００２０】
前記制御手段は、３つの前記付属機器検出端子のうち２つを入力端子に設定するとともに１つをと出力端子に設定して得られた前記組み合わせ情報と、前記２つの入力端子のうち一方の入力端子を出力端子に変更して得られた前記組み合わせ情報とに基づいて、前記レンズ本体に接続された前記付属機器を特定することを特徴とする。
【００２２】
前記制御手段は、前記本体機器の付属機器検出端子の入出力の設定を複数回変更して複数の前記組み合わせ情報を得た後、これらの組み合わせ情報に基づいて、前記本体機器に接続された前記付属機器を特定することを特徴とする。
【００２３】
前記付属機器は、交換レンズに接続介装されるエクステンダーまたは中間チューブであることを特徴とする。
【００２４】
上記構成によれば、カメラ本体に着脱可能な交換レンズで、その交換レンズに複数の付属機器を互換的に接続しその付属機器の接続を検出して交換レンズの動作を変更するレンズに於いて、カメラ本体と交換レンズとの間に付属機器を装着する時に、検出端子の入力と出力を任意に変更することにより検出可能な付属機器の種類を増すことができ、また、検出を複数回行うことにより正確な検出が可能となるレンズを提供することができた。
【００２５】
【発明の実施の形態】
以下、本発明の実施の形態について、マイクロコンピュータ等の制御手段を有する本体機器とその本体機器に接続する付属機器を例にして説明する。
【００２６】
（第１の実施の形態）
図１乃至図３は第１の実施の形態を示すもので、図１は本実施の形態の電気回路のブロック図を示し、１はマイクロコンピュータ等の制御手段２を有する本体機器、３は制御手段２により制御される被制御回路、４は電池、５は本体機器１に接続する付属機器であり、制御手段２と付属機器５はＥＸＴ０、ＥＸＴ１、ＣＯＭの３端子で接続している。
【００２７】
また、図２は図１のブロック図の制御手段２と付属機器５の接続状況を説明する電気回路図であり、同図において、６は制御手段２の制御部、７、８、１３、１４、１９、２０は各端子の保護用ダイオード、９、１５、２１はＰチャンネルＦＥＴで各端子をそれぞれ抵抗１０、１６、２２で電源ＶＤＤに接続しプルアップする。１１、  １７、２３は入力回路、１２、１８、２４はＮチャンネルＦＥＴで各端子をＧＮＤに接続する。２５は制御部６の他の回路への接続を示す。
【００２８】
５ａから５ｄは付属機器５の種類を示す。
【００２９】
0003703319.tif 000002
図３は制御部６の制御ピンの設定とそれにより設定されるモードの一覧表である。
【００３０】
−ＥＸＴ０ＲＯＮ（０でＥＸＴ０端子のプルアップ抵抗接続）
ＥＸＴ０ＩＮ（ＥＸＴ０端子の状態を示す）
ＥＸＴ０ＧＮＤ（１でＥＸＴ０端子をＧＮＤ（論理０）に設定）
ＥＸＴ０の状態はＧＮＤ（論理０）（：出力）かプルアップ抵抗接続（：入力）を示す。
【００３１】
モード０ではＧＮＤ（論理０）（：出力）となっている。
【００３２】
モード１ではプルアップ抵抗接続（：入力）となっているので、ＥＸＴ０端子がＧＮＤ端子に未接続であれば論理１、ＧＮＤ端子に接続されると論理０となる。以下、他の端子も同様である。
【００３３】
図４は、図３の各モードで、付属機器、なし、５ａ、５ｂ、５ｃ、５ｄでの各端子の論理を示す。
【００３４】
モード１では付属機器なしと付属機器５ｄでの（ＥＸＴ０，ＥＸＴ１）の論理が（１、１）となり判別不能であり、付属機器５ａ、５ｂ、５ｃは判別可能である。
【００３５】
モード２では付属機器なしと付属機器５ｃでの（  ＥＸＴ１）の論理が（１）となり判別不能であり、付属機器５ａ、５ｂ、５ｄでの（  ＥＸＴ１）の論理が（０）となり判別不能である。
【００３６】
モード３では付属機器なしと付属機器５ｂでの（ＥＸＴ１，ＣＯＭ）の論理が（１、１）となり判別不能であり、付属機器５ａ、５ｃ、５ｄは判別可能である。
【００３７】
図５は制御回路２の動作を説明するフローチャートである。
【００３８】
＃１０１  スタート
＃１０２  電源ＯＮ時の初期化動作を行う。
【００３９】
＃１０３  電源ＯＮ時の初期化動作の内、本実施の形態に関係する部分として各端子ＥＸＴ０、ＥＸＴ１、ＣＯＭをモード０に設定する。
【００４０】
＃１０４  次に、モード１に設定する。
【００４１】
＃１０５  各端子ＥＸＴ０、ＥＸＴ１の論理を検出する。詳細は図６のフローチャートで説明する。
【００４２】
＃１０６  （ＥＸＴ０，  ＥＸＴ１）の論理が（１、１）か否かを判断する。もし、そうであれば＃１０７へ進み、違うと＃１１０へ進む。
【００４３】
＃１０７  モード１では付属機器なしと付属機器５ｄの判別が出来ないので、モード２に設定する。
【００４４】
＃１０８  端子ＥＸＴ１の論理を検出する。詳細は図７のフローチャートで説明する。
【００４５】
＃１０９  （ＥＸＴ１）の論理が（１）か否かを判断する。もし、そうであれば付属機器なしなので＃１１２へ進み、違うと、付属機器５ｄなので＃１１３へ進む。
【００４６】
＃１１０  （ＥＸＴ０，  ＥＸＴ１）  の論理が（０、０）か否かを判断する。もし、そうであれば付属機器５ａなので＃１１４へ進み、違うと＃１１１へ進む。
【００４７】
＃１１１（ＥＸＴ０，  ＥＸＴ１）の論理が（１、０）か否かを判断し、もし、そうであれば付属機器５ｂなので＃１１５へ進み、違うと付属機器５ｃなので＃１１６へ進む。
【００４８】
＃１１２  付属機器なしに対応した処理を行う。
【００４９】
＃１１３  付属機器５ｄに対応した処理を行う。
【００５０】
＃１１４  付属機器５ａに対応した処理を行う。
【００５１】
＃１１５  付属機器５ｂに対応した処理を行う。
【００５２】
＃１１６  付属機器５ｃに対応した処理を行う。
【００５３】
＃１１７  付属機器に係らない処理を行う。
【００５４】
＃１１８  時間、外部からの通信等により処理を終了するかしないかを判断し、もし終了ならば、＃１１９へ進み終了し、違うならば、＃１０４へ進み処理を続ける。
【００５５】
図６は図５のフローチャートの＃１０４を説明するフローチャートである。
【００５６】
＃２０１  スタート。
【００５７】
＃２０２  付属機器５の接触不良等による検出の誤りをなくす為、Ｋ回検出値が同じ場合その検出結果を用いる。そのため、Ｎの値を１加算する。なお、Ｎは図５のフローチャートの＃１０２で０に初期化されている。
【００５８】
＃２０３  端子ＥＸＴ０＝１か否かを判断する。もし端子ＥＸＴ０＝１であれば＃２０４に、端子ＥＸＴ０＝０であれば＃２０５に進み、次に端子ＥＸＴ１の値を判断する。
【００５９】
＃２０４    端子ＥＸＴ１＝１か否かを判断する。もし端子ＥＸＴ１＝１であれば（ＥＸＴ０，ＥＸＴ１）＝（１、１）なので、Ｎ回目の検出結果Ａ（Ｎ）＝付属機器なしか付属機器５ｄなので＃２０６に進む。もし端子ＥＸＴ１＝０であれば（ＥＸＴ０，ＥＸＴ１）＝（１、０）なので、Ｎ回目の検出結果Ａ（Ｎ）＝付属機器５ｂなので＃２０７に進む。
【００６０】
＃２０５    端子ＥＸＴ１＝１か否かを判断する。もし端子ＥＸＴ１＝１であれば（ＥＸＴ０，ＥＸＴ１）＝（０、１）なので、Ｎ回目の検出結果Ａ（Ｎ）＝付属機器５ｃなので＃２０８に進む。もし端子ＥＸＴ１＝０であれば（ＥＸＴ０，ＥＸＴ１）＝（０、０）なので、Ｎ回目の検出結果Ａ（Ｎ）＝付属機器５なので＃２０９に進む。
【００６１】
＃２１０  Ｎ回目の検出結果Ａ（Ｎ）がＮ−１回目のの検出結果Ａ（Ｎ−１）とＫ回同じかを検出するために＃２１０から＃２１８までで判別する。Ｎ＝１ならば＃２１１に進み、検出１回目は比較するデータが存在しないのでその値を用いる。Ａ＝Ａ（１）
＃２１２  検出２回目以降なので、さらにＫ回目か否かを判断する。もしＫ回目であれば、Ｋ回同じデータであるので＃２１３へ進み、Ａ＝Ａ（Ｎ）とする。
また、次にＫ回同じデータが続くことを検出するためＡ（１）＝Ａ（Ｎ）とし＃２１４、Ｎ＝１とする＃２１５。
【００６２】
＃２１６  では前回の検出結果Ａ（Ｎ−１）と今回の検出結果Ａ（Ｎ）と同じか否かを判断する。もし同じならば＃２１８へ進みＡ＝Ａ（１）とする。違う場合は検出を最初から始めるのでＮ＝０とし＃２１７、＃２１８に進む。
【００６３】
＃２１９  戻る。
【００６４】
図７は図５のフローチャートの＃１０７を説明するフローチャートである。
【００６５】
＃３０１  スタート。
【００６６】
＃３０２  付属機器５の接触不良等による検出の誤りをなくす為、Ｌ回検出値が同じ場合その検出結果を用いる。そのため、Ｍの値を１加算する。なお、Ｍは図５のフローチャートの＃１０２で０に初期化されている。
【００６７】
＃３０３  端子ＥＸＴ１＝１か否かを判断する。もし端子ＥＸＴ１＝１であれば、Ｂ（Ｍ）＝付属機器なしかまたは付属機器５ｃであるので＃３０４に進み、もし端子ＥＸＴ１＝０であればＢ（Ｍ）＝５ａ、５ｂ、５ｄであるので＃３０５に進む。
【００６８】
＃３０６  Ｍ回目の検出結果Ｂ（Ｍ）がＭ−１回目の検出結果Ｂ（Ｍ−１）とＬ回同じか否かを検出するために＃３０７から＃３１４までを判別する。もしＭ＝１ならば＃３０７に進み、検出１回目は比較するデータが存在しないのでその値を用いる。Ｂ＝Ｂ（１）
＃３０８  検出２回目以降なので、さらにＬ回目か否かを判断する。もしＬ回目では、Ｌ回同じデータであるので＃３０９へ進みＢ＝Ｂ（Ｍ）とする。また、次にＬ回同じデータが続くことを検出するためＢ（１）＝Ｂ（Ｍ）とし＃３１０、Ｍ＝１とする（＃３１１）。
【００６９】
＃３１２  前回の検出結果Ｂ（Ｍ−１）と今回の検出結果Ｂ（Ｍ）と同じか否かを判断する。もし同じならば＃３１４へ進みＢ＝Ｂ（１）とする。違う場合は検出を最初から始めるのでＭ＝０とし＃３１３、＃３１４に進む。
【００７０】
＃３１５  戻る。
【００７１】
（第２の実施の形態）
図８乃至図１１は第２の実施の形態を示す。
【００７２】
本実施の形態は相互に通信可能なカメラ本体（本体機器）と交換レンズ（付属機器）からなるカメラシステムにおいて示す。
【００７３】
本実施の形態におけるブロック図を図８に示す。
【００７４】
図８中３１は本実施の形態のカメラシステムにおけるカメラ本体、３２はアクセサリ（交換レンズ）である。
【００７５】
カメラ本体３１内には、電気回路部３３があり、電気回路部３３はアクセサリ（交換レンズ）を通ってきた光の量を測定するための測光部３４、フィルム面上から被写体までの距離を測定するための測距部３５、フィルムを適当な時間露光するためのシャッター３６、フィルムの巻き上げ巻き戻しを行うための給送チャージ系３７、これらのカメラ本体３１内の制御を行うカメラ本体３１内ＣＰＵ３８、レンズとのシリアル通信を行うための通信手段３９を含む。
【００７６】
また、アクセサリ（交換レンズ）３２内における、４１はアクセサリ（交換レンズ）３２中のフォーカスレンズ、４２は絞り、４４はアクセサリ（交換レンズ）３２内の電気回路部で、電気回路部４４内にはカメラ本体３１との間でシリアル通信を行うための通信手段４６、アクセサリ（交換レンズ）３２内の制御を行うレンズ内ＣＰＵ４７、フォーカスレンズ４１の駆動制御を行うためのレンズ駆動制御部４８、フォーカスレンズ４１を駆動するためのレンズ駆動用モータ４９、さらに絞りの駆動制御を行うための絞り制御部５０、絞り４２を駆動するための絞り駆動用モータ５１が含まれる。
【００７７】
５２は、測光部３４、測距部３５、カメラ本体３１内ＣＰＵ３８、アクセサリ（交換レンズ）３２内ＣＰＵ４７等の電力消費量が比較的少なく安定した出力電圧を必要とする制御系回路に電力をカメラ本体３１内ＣＰＵ３８の出力により供給するための制御系電源である。
【００７８】
５３は、制御系電源５２の電圧、電力を検出するための制御系電源検出部である。
【００７９】
５４は、シャッター３６、給送チャージ系３７、レンズ駆動制御部４８、絞り制御部５０等の電力消費量が比較的多く必要とする駆動系回路に電力をカメラ本体３１内ＣＰＵ３８の出力により供給するための駆動系電源である。
【００８０】
５５は、駆動系電源５４の電圧、電力を検出するための駆動系電源検出部である。
【００８１】
５６は測光部３４の動作を開始するスイッチＳＷ１、５７は測距部３５の動作とシャッター３６の開閉動作を開始するスイッチＳＷ２である。
【００８２】
６０はエクステンダー又は中間チューブ等の付属機器、６１はアクセサリ（交換レンズ）３２内ＣＰＵ４７の付属機器検出端子ＥＸＴ０、６２はアクセサリ（交換レンズ）３２内ＣＰＵ４７の付属機器検出端子ＥＸＴ１、６３はアクセサリ（交換レンズ）３２内ＣＰＵ４７の付属機器検出端子ＣＯＭである。
【００８３】
図９は付属機器６０の種類６０ａから６０ｄの電気的接続を示す図である。
【００８４】
付属機器６０の種類はａからｄまで図２の５ａから５ｄと同じ接続である。
【００８５】
６０ａに相当する付属機器を×１．４倍エクステンダー、６０ｂに相当する付属機器を×２．０倍エクステンダー、６０ｃに相当する付属機器を中間チューブ、６０ｄに相当する付属機器を新しい種類の付属機器とする。
【００８６】
以下に本実施の形態を図１０と図１１のフローチャートに基づいて説明する。
図１０はカメラ本体３１のフローチャートを示し、図１１はアクセサリ（交換レンズ）３２のフローチャートを示す。
【００８７】
「ステップ１０１」
不図示の電源スイッチがＯＮになり、制御をスタートする。
【００８８】
「ステップ１０２」
カメラ本体１とアクセサリ（交換レンズ）３２が、通信手段３９及び通信手段４６を介して８bit のシリアル通信を開始する。シリアルクロックはカメラ本体３１側から供給され、そのシリアルクロックに同期して、カメラ本体３１側からアクセサリ（交換レンズ）３２側へは通信命令が、アクセサリ（交換レンズ）３２側からカメラ本体３１側へは前回の通信時に受信した通信命令に対するデータが通信される。ここで、付属機器６０の有無によりアクセサリ（交換レンズ）３２側から通信するデータを変更する。
【００８９】
「ステップ１０３」
ＳＷ１：５６がＯＮしたか検出する。
【００９０】
「ステップ１０４」
測光部３４の出力と装着したアクセサリ（交換レンズ）３２のｆナンバーから、シャッター速度、絞り値を決定する。なお、アクセサリ（交換レンズ）３２のｆナンバーは付属機器６０の種類により変わる。
【００９１】
「ステップ１０５」
ＳＷ２：５７がＯＮしたか検出する。
【００９２】
「ステップ１０６」
測距部３５の出力と装着したアクセサリ（交換レンズ）３２の光学情報から、装着したアクセサリ（交換レンズ）３２のフォーカスレンズ４１の移動量を決定し、アクセサリ（交換レンズ）３２に伝える。なお、アクセサリ（交換レンズ）３２の光学情報は付属機器６０の種類により変わる。
【００９３】
「ステップ１０７」
測距部３５の出力と装着したアクセサリ（交換レンズ）３２の光学情報から、フォーカスレンズ４１の最高移動速度を決定し、アクセサリ（交換レンズ）３２に伝える。
【００９４】
「ステップ１０８」
「ステップ１０６」で設定したフォーカスレンズ４１の移動量と「ステップ１０７」で設定したフォーカスレンズ４１の最高移動速度以内でフォーカスレンズ４１の移動を開始する命令をアクセサリ（交換レンズ）３２に伝える。
【００９５】
「ステップ１０９」
測距部３５の出力と装着したアクセサリ（交換レンズ）３２の光学情報から、装着したアクセサリ（交換レンズ）３２のフォーカスレンズ４１が合焦位置にあるか否かを確認する。もし合焦位置にあれば、「ステップ１１０」へ進む。合焦位置になければ、「ステップ１０２」へ戻り、再度、測光と測距動作を行う。
【００９６】
「ステップ１１０」
「ステップ１０４」で決定した絞り値まで絞りを駆動する命令をアクセサリ（交換レンズ）３２に伝える。
【００９７】
「ステップ１１１」
「ステップ１０４」で決定したシャッター速度でシャッター制御部３６によりシャッターを開閉する。
【００９８】
「ステップ１１２」
絞りを開放まで駆動する命令をアクセサリ（交換レンズ）３２に伝える。
【００９９】
「ステップ１１３」
給送制御部３７により不図示のフィルムを一駒分給送する。
【０１００】
「ステップ１１４」
「ステップ１１３」で給送制御部３７により不図示のフィルムを給送出来ない場合、撮影可能駒が無いとして「ステップ１１５」でフィルムを巻戻し「ステップ１１６」で終了する。撮影可能駒が有る場合は「ステップ１０２」へ戻る。
【０１０１】
次に、アクセサリ（交換レンズ）３２のフローチャートを説明する。
【０１０２】
「ステップ２０１」
カメラ本体３１への取り付けに伴う動作を開始し、または通信によるカメラ本体３１の命令で動作を開始する。
【０１０３】
「ステップ２０２」
取り付けられた付属機器６０の種類を判別する。その方法は、第１の実施の形態の図２乃至図７までと同様である。例えば、付属機器６０の種類を図２の５ａから５ｄと同じ接続６０ａに相当する付属機器を×１．４倍エクステンダー、６０ｂに相当する付属機器を×２．０倍エクステンダー、６０ｃに相当する付属機器を中間チューブ、６０ｄに相当する付属機器を新しい種類の付属機器とする。
６０ａに相当する付属機器をアクセサリ（交換レンズ）３２に接続すると×１．４倍エクステンダーに対応した動作を行い、６０ｂに相当する付属機器をアクセサリ（交換レンズ）３２に接続すると×２．０倍エクステンダーに対応した動作を行い、６０ｃに相当する付属機器をアクセサリ（交換レンズ）３２に接続すると中間チューブに対応した動作を行い、６０ｄに相当する付属機器をアクセサリ（交換レンズ）３２に接続すると新しい種類の付属機器に対応した動作を行う。
【０１０４】
「ステップ２０３」
カメラ本体３１からの命令を解析する。例えば、フォーカスレンズ４１の駆動命令であれば、「ステップ２０６」へ進む。絞り４２の駆動命令であれば、「ステップ２０８」へ進む。命令が光学情報要求命令であれば、「ステップ２０４」へ進む。
【０１０５】
「ステップ２０４」
光学情報要求命令を受信。
【０１０６】
「ステップ２０５」
光学情報要求命令を受信し、接続された付属機器６０に対応する光学情報をカメラ本体３１に送信する。
【０１０７】
「ステップ２０６」
フォーカスレンズ４１駆動命令。
【０１０８】
「ステップ２０７」
カメラ本体１からフォーカスレンズ４１の移動量と移動方向の指示命令によりフォーカスレンズ４１を駆動する。
【０１０９】
「ステップ２０８」
絞り４２駆動命令。
【０１１０】
「ステップ２０９」
カメラ本体１から絞り４２の絞り量と絞り方向の指示命令により絞り４２を駆動する。
【０１１１】
【発明の効果】
以上説明したように、請求項１乃至７記載の発明によれば、本体機器へ複数の付属機器を互換的に装着する時に、検出端子の入力と出力を任意に変更することにより検出可能な付属機器の種類を増すことができた。また、検出を複数回行うことにより正確な検出が可能となった。
【０１１２】
請求項８乃至１５記載の発明によれば、カメラ本体に着脱可能な交換レンズで、その交換レンズに複数の付属機器を互換的に接続しその付属機器の接続を検出してレンズの動作を変更するレンズに於いて、交換レンズに付属機器を装着する時に、検出端子の入力と出力を任意に変更することにより検出可能な付属機器の種類を増すことができ、また、検出を複数回行うことにより正確な検出が可能となるレンズを提供することができた。
【図面の簡単な説明】
【図１】本発明に係る第１の実施の形態の電気回路のブロック図
【図２】図１の接続状態を説明する電気回路図
【図３】本発明に係る第１の実施の形態の設定モードの一覧表を示す図
【図４】図３の設定モードの各端子の論理を示す図
【図５】本発明に係る第１の実施の形態のフローチャート
【図６】図５の＃１０４を説明するフローチャート
【図７】図５の＃１０７を説明するフローチャート
【図８】本発明に係る第２の実施の形態の電気回路のブロック図
【図９】本発明に係る第２の実施の形態の電気的接続を示す図
【図１０】本発明に係る第２の実施の形態のカメラ本体のフローチャート
【図１１】本発明に係る第２の実施の形態のアクセサリ（交換レンズ）のフローチャート
【符号の説明】
１…本体機器
２…制御手段
３…被制御回路
４…電池
５（５ａ，５ｂ，５ｃ，５ｄ）…付属機器
６…制御部
７，８，１３，１４，１９，２０…保護用ダイオード
９，１５，２１…ＰチャンネルＦＥＴ
１０，１６，２２…抵抗
１１，１７，２３…入力回路
１２，１８，２４…ＮチャンネルＦＥＴ
２５…制御部の他回路への接続
３１…カメラ本体
３２…アクセサリ
３３…電気回路部
３４…測光部
３５…測距部
３６…シャッター
３７…給送チャージ系
４７…アクセサリ（交換レンズ）内ＣＰＵ
４８…レンズ駆動制御部
５０…絞り制御部
３８…カメラ本体内ＣＰＵ
５４…駆動系電源
５５…駆動系電源検出部
５６…スイッチＳＷ１
５７…スイッチＳＷ２
６０（６０ａ，６０ｂ，６０ｃ，６０ｄ）…付属機器
６１…付属機器検出端子ＥＸＴ０
６２…付属機器検出端子ＥＸＴ１
６３…付属機器検出端子ＣＯＭ
【図１】
0003703319.tif 000003
【図２】
0003703319.tif 000004
【図３】
0003703319.tif 000005
【図４】
0003703319.tif 000006
【図５】
0003703319.tif 000007
【図６】
0003703319.tif 000008
【図７】
0003703319.tif 000009
【図８】
0003703319.tif 000010
【図９】
0003703319.tif 000011
【図１０】
0003703319.tif 000012
【図１１】
0003703319.tif 000013